(57)【要約】【課題】画像の記録不良を抑制しながらも利便性を向上させることができる画像形成装置を提供する。【解決手段】画像形成装置１は、ＰＣ２から受信したデータにトレイ（収納部）を指定する情報が含まれており、記録シートの種類を指定する情報が含まれていない場合に、記録シートの種類が指定されない場合について設定されている記録シートの種類を選択せず、指定されたトレイについて設定してある記録シートの種類を選択し、選択した記録シートの種類に応じた記録条件で画像を記録する。画像形成装置１はこの場合に画像の記録を中止することが無い。各トレイについて設定してある記録シートの種類は、実際に収納されている記録シートの種類と一致している可能性が高く、画像の記録不良が発生する可能性は低い。従って、画像形成装置１は、画像の記録不良を抑制しながらも利便性を向上させることが可能となる。【選択図】図１
2019107893.tif 000002
【特許請求の範囲】
【請求項１】
外部からのデータを受信する手段と、受信したデータに基づいた画像を記録シートに記録する手段と、記録シートの種類に応じて画像の記録条件を調整する手段と、記録シートを収納する複数の収納部と、各収納部について記録シートの種類を設定する第１設定手段とを備える画像形成装置であって、
受信したデータに記録シートの種類を指定する情報が含まれているか否かを判定する第１判定手段と、
受信したデータに収納部を指定する情報が含まれているか否かを判定する第２判定手段と、
前記第１判定手段の判定結果および前記第２判定手段の判定結果に応じて、記録シートの種類を選択する種類選択手段を備え、
前記種類選択手段は、前記第１判定手段によって前記データに記録シートの種類を指定する情報が含まれていないことが判定され、前記第２判定手段によって前記データに収納部を指定する情報が含まれていることが判定された場合に、画像を記録する記録シートの種類として、前記データに含まれる情報で指定された収納部について前記第１設定手段によって設定された記録シートの種類を選択する、画像形成装置。
【請求項２】
前記第１判定手段によって前記データに記録シートの種類を指定する情報が含まれていないことが判定され、前記第２判定手段によって前記データに収納部を指定する情報が含まれていないことが判定された場合に、前記データに基づいた画像のサイズに応じて、前記複数の収納部から一の収納部を選択する収納部選択手段、
外部からのデータに記録シートの種類を指定する情報が含まれていない場合に選択すべき記録シートの種類を設定する第２設定手段と、
前記収納部選択手段によって選択された収納部について前記第１設定手段によって設定された記録シートの種類と前記第２設定手段によって設定された記録シートの種類とが一致しているか否かを判定する第３判定手段と、
前記第３判定手段によって記録シートの種類が一致していないことが判定された場合に、画像の記録を中止する第１中止手段を更に備え、
前記種類選択手段は、前記第３判定手段によって記録シートの種類が一致していることが判定された場合に、画像を記録する記録シートの種類として、前記第２設定手段によって設定された記録シートの種類を選択する、請求項１に記載の画像形成装置。
【請求項３】
前記第１判定手段によって前記データに記録シートの種類を指定する情報が含まれていないことが判定され、前記第２判定手段によって前記データに収納部を指定する情報が含まれていないことが判定された場合に、前記データに基づいた画像のサイズに応じて、前記複数の収納部から一の収納部を選択する収納部選択手段を更に備え、
前記種類選択手段は、画像を記録する記録シートの種類として、前記収納部選択手段によって選択された収納部について前記第１設定手段によって設定された記録シートの種類を選択する、請求項１に記載の画像形成装置。
【請求項４】
外部からのデータに含まれる情報で指定された収納部について前記第１設定手段が設定してある記録シートの種類と前記データに含まれる情報で指定された記録シートの種類とが一致しているか否かを判定する第４判定手段と、
前記第１判定手段によって前記データに記録シートの種類を指定する情報が含まれていることが判定され、前記第２判定手段によって前記データに収納部を指定する情報が含まれていることが判定された場合に、前記第４判定手段の動作が有効に設定されているか又は無効に設定されているかを判定する第５判定手段を更に備え、
前記種類選択手段は、前記第５判定手段によって前記第４判定手段の動作が無効に設定されている場合に、画像を記録する記録シートの種類として、前記データに含まれる情報
で指定された記録シートの種類を選択する、請求項１から３までの何れか一つに記載の画像形成装置。
【請求項５】
前記第５判定手段によって前記第４判定手段の動作が有効に設定されている場合に、前記データに含まれる情報で指定された収納部について前記第１設定手段によって設定された記録シートの種類と前記データに含まれる情報で指定された記録シートの種類とが一致しているか否かを判定する第６判定手段と、
前記第６判定手段によって記録シートの種類が一致していないことが判定された場合に、画像の記録を中止する第２中止手段を更に備え、
前記種類選択手段は前記第６判定手段によって記録シートの種類が一致していることが判定された場合に、画像を記録する記録シートの種類として、前記データに含まれる情報で指定された収納部について前記第１設定手段によって設定された記録シートの種類を選択する、請求項４記載の画像形成装置。
【請求項６】
前記種類選択手段は、前記第１判定手段によって前記データに記録シートの種類を指定する情報が含まれていることが判定され、前記第２判定手段によって前記データに収納部を指定する情報が含まれていることが判定された場合に、画像を記録する記録シートの種類として、前記データに含まれる情報で指定された記録シートの種類を選択する、請求項１から３までの何れか一つに記載の画像形成装置。
【請求項７】
外部からのデータを受信する手段と、受信したデータに基づいた画像を記録シートに記録する手段と、記録シートの種類に応じて画像の記録条件を調整する手段と、記録シートを収納する複数の収納部と、各収納部について記録シートの種類を設定する第１設定手段とを備える画像形成システムであって、
受信したデータに記録シートの種類を指定する情報が含まれているか否かを判定する第１判定手段と、
受信したデータに収納部を指定する情報が含まれているか否かを判定する第２判定手段と、
前記第１判定手段の判定結果および前記第２判定手段の判定結果に応じて、記録シートの種類を選択する種類選択手段を備え、
前記種類選択手段は、前記第１判定手段によって前記データに記録シートの種類を指定する情報が含まれていないことが判定され、前記第２判定手段によって前記データに収納部を指定する情報が含まれていることが判定された場合に、画像を記録する記録シートの種類として、前記データに含まれる情報で指定された収納部について前記第１設定手段によって設定された記録シートの種類を選択する、画像形成システム。
【請求項８】
外部からのデータを受信する手段と、受信したデータに基づいた画像を記録シートに記録する手段と、記録シートの種類に応じて画像の記録条件を調整する手段と、記録シートを収納する複数の収納部と、各収納部について記録シートの種類を設定する第１設定手段とを備える画像形成装置における記録シートの種類選択方法であって、
（ａ）受信したデータに記録シートの種類を指定する情報が含まれているか否かを判定するステップと、
（ｂ）受信したデータに収納部を指定する情報が含まれているか否かを判定するステップと、
（ｃ）前記ステップ（ａ）の判定結果および前記ステップ（ｂ）の判定結果に応じて、記録シートの種類を選択するステップを含み、
前記ステップ（ｃ）は、前記ステップ（ａ）において前記データに記録シートの種類を指定する情報が含まれていないことを判定し、前記ステップ（ｂ）において前記データに収納部を指定する情報が含まれていることを判定した場合に、画像を記録する記録シートの種類として、前記データに含まれる情報で指定された収納部について前記第１設定手段
によって設定された記録シートの種類を選択する、記録シートの種類選択方法。
【発明の詳細な説明】
【技術分野】
【０００１】
本発明は、外部から入力されたデータに基づいて画像を形成する画像形成装置、画像形成システムおよび記録シートの種類選択方法に関する。
【背景技術】
【０００２】
ＰＣ（パーソナルコンピュータ）等の情報処理装置から画像形成装置へデータが送信され、画像形成装置がデータに基づいた画像を記録シートに記録することが行われている。記録シートには、普通紙、厚紙、又はプラスチックで形成されたＯＨＰ（Overhead projector）用シート等の多くの種類がある。画像形成装置が画像を記録するときの定着温度等の適切な条件は記録シートの種類によって異なる。そこで、画像形成装置は、記録シートの種類別に画像の記録条件を予め定めておき、記録シートの種類に応じて記録条件を調整する。また、記録シートには、Ａ４又はＢ５等の多くのサイズがある。通常、画像形成装置は、記録シートを収納するトレイを複数備え、夫々のトレイに収納してある記録シートの種類及びサイズを設定してある。画像を記録する際、画像形成装置は、画像を記録するシートが収納されたトレイについて設定されている記録シートの種類に応じて、画像の記録条件を調整する。
【０００３】
画像形成装置へデータを送信するＰＣでは、画像を記録するためのトレイ及び記録シートの種類を指定している。画像形成装置は、指定されたトレイに収納された記録シートに画像を記録する。このとき、画像形成装置は、ＰＣで指定された記録シートの種類と指定されたトレイについて設定されている記録シートとが異なる場合に、画像の記録を中止する。このため、画像の記録が中止された場合は、ＰＣで指定したトレイ又は記録シートの種類を変更する必要がある。特許文献１には、画像形成装置で設定されている記録シートの種類とＰＣで指定された記録シートの種類とが異なる場合にエラーを出力する技術が開示されている。
【先行技術文献】
【特許文献】
【０００４】
【特許文献１】特開平１−２６４８７０号公報
【発明の概要】
【発明が解決しようとする課題】
【０００５】
ＰＣから画像形成装置へデータを送る際には、トレイ又は記録シートの種類を指定しないこともできる。ＰＣでトレイが指定されない場合、データに基づいた画像に必要な記録シートのサイズに基づいて画像形成装置でトレイが選択される。また、画像形成装置では、ＰＣで記録シートの種類を指定していない場合に選択すべき記録シートの種類が予め設定されている。
【０００６】
ところが、ＰＣで記録シートの種類を指定していない場合、指定されたトレイ又は画像形成装置で選択されたトレイについて設定されている記録シートの種類と、画像形成装置で設定されている記録シートの種類とが異なることがある。このとき、画像形成装置は、画像の記録を中止する。記録シートの種類を指定していないにも関わらず、画像の記録が中止されてしまうので、使用者には対処法が分かり難く、利便性が悪い。
【０００７】
画像形成装置では、記録シートの種類がトレイについて設定されている記録シートの種類と異なるかを判定しないようにすることもできる。例えば、ＰＣで記録シートの種類を指定していない場合、記録シートの種類をＰＣで指定しない場合について画像形成装置で
設定されている記録シートの種類が選択される。この場合は、画像の記録が中止されることは無い。しかしながら、記録シートの種類をＰＣで指定しない場合について画像形成装置で設定されている記録シートの種類は、実際にトレイに収納されている記録シートの種類と異なることがある。記録シートの種類が異なる場合、実際にトレイに収納されている記録シートには不適切な条件で画像が記録され、画像の記録不良が発生するという問題がある。
【０００８】
本発明は、斯かる事情に鑑みてなされたものであって、その目的とするところは、画像の記録不良を抑制しながらも利便性を向上させることができる画像形成装置、画像形成システムおよび記録シートの種類選択方法を提供することにある。
【課題を解決するための手段】
【０００９】
本発明に係る画像形成装置は、外部からのデータを受信する手段と、受信したデータに基づいた画像を記録シートに記録する手段と、記録シートの種類に応じて画像の記録条件を調整する手段と、記録シートを収納する複数の収納部と、各収納部について記録シートの種類を設定する第１設定手段とを備える画像形成装置であって、受信したデータに記録シートの種類を指定する情報が含まれているか否かを判定する第１判定手段と、受信したデータに収納部を指定する情報が含まれているか否かを判定する第２判定手段と、第１判定手段の判定結果および第２判定手段の判定結果に応じて、記録シートの種類を選択する種類選択手段を備え、種類選択手段は、第１判定手段によってデータに記録シートの種類を指定する情報が含まれていないことが判定され、第２判定手段によってデータに収納部を指定する情報が含まれていることが判定された場合に、画像を記録する記録シートの種類として、データに含まれる情報で指定された収納部について第１設定手段によって設定された記録シートの種類を選択する。
【００１０】
本発明に係る画像形成装置は、第１判定手段によってデータに記録シートの種類を指定する情報が含まれていないことが判定され、第２判定手段によってデータに収納部を指定する情報が含まれていないことが判定された場合に、データに基づいた画像のサイズに応じて、複数の収納部から一の収納部を選択する収納部選択手段、外部からのデータに記録シートの種類を指定する情報が含まれていない場合に選択すべき記録シートの種類を設定する第２設定手段と、収納部選択手段によって選択された収納部について第１設定手段によって設定された記録シートの種類と第２設定手段によって設定された記録シートの種類とが一致しているか否かを判定する第３判定手段と、第３判定手段によって記録シートの種類が一致していないことが判定された場合に、画像の記録を中止する第１中止手段を更に備え、種類選択手段は、第３判定手段によって記録シートの種類が一致していることが判定された場合に、画像を記録する記録シートの種類として、第２設定手段によって設定された記録シートの種類を選択する。
【００１１】
本発明に係る画像形成装置は、第１判定手段によってデータに記録シートの種類を指定する情報が含まれていないことが判定され、第２判定手段によってデータに収納部を指定する情報が含まれていないことが判定された場合に、データに基づいた画像のサイズに応じて、複数の収納部から一の収納部を選択する収納部選択手段を更に備え、種類選択手段は、画像を記録する記録シートの種類として、収納部選択手段によって選択された収納部について第１設定手段によって設定された記録シートの種類を選択する。
【００１２】
本発明に係る画像形成装置は、外部からのデータに含まれる情報で指定された収納部について第１設定手段が設定してある記録シートの種類とデータに含まれる情報で指定された記録シートの種類とが一致しているか否かを判定する第４判定手段と、第１判定手段によってデータに記録シートの種類を指定する情報が含まれていることが判定され、第２判定手段によってデータに収納部を指定する情報が含まれていることが判定された場合に、
第４判定手段の動作が有効に設定されているか又は無効に設定されているかを判定する第５判定手段を更に備え、種類選択手段は、第５判定手段によって第４判定手段の動作が無効に設定されている場合に、画像を記録する記録シートの種類として、データに含まれる情報で指定された記録シートの種類を選択する。
【００１３】
本発明に係る画像形成装置は、第５判定手段によって第４判定手段の動作が有効に設定されている場合に、データに含まれる情報で指定された収納部について第１設定手段によって設定された記録シートの種類とデータに含まれる情報で指定された記録シートの種類とが一致しているか否かを判定する第６判定手段と、第６判定手段によって記録シートの種類が一致していないことが判定された場合に、画像の記録を中止する第２中止手段を更に備え、種類選択手段は第６判定手段によって記録シートの種類が一致していることが判定された場合に、画像を記録する記録シートの種類として、データに含まれる情報で指定された収納部について第１設定手段によって設定された記録シートの種類を選択する。
【００１４】
本発明に係る画像形成装置は、種類選択手段は、第１判定手段によってデータに記録シートの種類を指定する情報が含まれていることが判定され、第２判定手段によってデータに収納部を指定する情報が含まれていることが判定された場合に、画像を記録する記録シートの種類として、データに含まれる情報で指定された記録シートの種類を選択する。
【００１５】
本発明に係る画像形成システムは、外部からのデータを受信する手段と、受信したデータに基づいた画像を記録シートに記録する手段と、記録シートの種類に応じて画像の記録条件を調整する手段と、記録シートを収納する複数の収納部と、各収納部について記録シートの種類を設定する第１設定手段とを備える画像形成システムであって、受信したデータに記録シートの種類を指定する情報が含まれているか否かを判定する第１判定手段と、受信したデータに収納部を指定する情報が含まれているか否かを判定する第２判定手段と、第１判定手段の判定結果および第２判定手段の判定結果に応じて、記録シートの種類を選択する種類選択手段を備え、種類選択手段は、第１判定手段によってデータに記録シートの種類を指定する情報が含まれていないことが判定され、第２判定手段によってデータに収納部を指定する情報が含まれていることが判定された場合に、画像を記録する記録シートの種類として、データに含まれる情報で指定された収納部について第１設定手段によって設定された記録シートの種類を選択する。
【００１６】
本発明に係る記録シートの種類選択方法は、外部からのデータを受信する手段と、受信したデータに基づいた画像を記録シートに記録する手段と、記録シートの種類に応じて画像の記録条件を調整する手段と、記録シートを収納する複数の収納部と、各収納部について記録シートの種類を設定する第１設定手段とを備える画像形成装置における記録シートの種類選択方法であって、（ａ）受信したデータに記録シートの種類を指定する情報が含まれているか否かを判定するステップと、（ｂ）受信したデータに収納部を指定する情報が含まれているか否かを判定するステップと、（ｃ）ステップ（ａ）の判定結果およびステップ（ｂ）の判定結果に応じて、記録シートの種類を選択するステップを含み、ステップ（ｃ）は、ステップ（ａ）においてデータに記録シートの種類を指定する情報が含まれていないことを判定し、ステップ（ｂ）においてデータに収納部を指定する情報が含まれていることを判定した場合に、画像を記録する記録シートの種類として、データに含まれる情報で指定された収納部について第１設定手段によって設定された記録シートの種類を選択する。
【発明の効果】
【００１７】
本発明にあっては、画像形成装置は、従来では画像の記録が中止されていた状況でも画像の記録を中止することが無い。また、記録シートに不適切な条件で画像が記録されて画像の記録不良が発生する可能性は低くなる。従って、画像形成装置は、画像の記録不良を
抑制しながらも利便性を向上させることが可能となる等、本発明は優れた効果を奏する。
【図面の簡単な説明】
【００１８】
【図１】本発明の画像形成装置を含む画像形成システムの構成を示す概念図である。
【図２】画像形成装置の内部の機能構成を示すブロック図である。
【図３】画像記録部の構成例を示す構成図である。
【図４】トレイ設定の内容例を示す模式図である。
【図５】ＰＣでトレイ及び記録シートの種類を指定するための操作画面の例を示す模式図である。
【図６】実施の形態１に係る画像形成装置が実行する処理の手順を示すフローチャートである。
【図７】実施の形態１に係る画像形成装置が実行する処理の手順を示すフローチャートである。
【図８】実施の形態２に係る画像形成装置が実行する処理の手順を示すフローチャートである。
【図９】実施の形態３に係る画像形成装置が実行する処理の手順を示すフローチャートである。
【発明を実施するための形態】
【００１９】
以下本発明をその実施の形態を示す図面に基づき具体的に説明する。
（実施の形態１）
図１は、本発明の画像形成装置１を含む画像形成システムの構成を示す概念図である。ＬＡＮ（Local Area Network）等の通信ネットワーク３に、本発明の画像形成装置１が接続されており、更に、ＰＣ２が接続されている。ＰＣ２は、通信ネットワーク３を介して画像データを含むデータを画像形成装置１へ送信し、画像形成装置１は、ＰＣ２からのデータに基づいて画像を形成し、形成した画像を記録シートに記録する。
【００２０】
図２は、画像形成装置１の内部の機能構成を示すブロック図である。画像形成装置１は、各部の動作を制御する制御部１１と、操作部１２と、表示部１３とを備えている。制御部１１は、演算を行うプロセッサと、演算に必要なプログラム、各種のデータ及び演算に伴う一時的な情報を記憶するメモリとを含んで構成されている。操作部１２は、テンキー又はタッチパネル等で構成されており、使用者からの操作を受け付ける。表示部１３は、液晶ディスプレイ等を用いて構成されており、使用者の操作に必要な情報を表示する。また、画像形成装置１は、設定記憶部１４と、データ記憶部１５と、画像処理部１６と、通信部１７と、画像記録部４とを備えている。設定記憶部１４は、不揮発性メモリで構成されており、データ受信装置の動作に必要な各種の設定を記憶している。通信部１７は、通信ネットワーク３に接続され、通信ネットワーク３を通じてＰＣ２との間でデータの送受信を行う。画像処理部１６は、通信部１７が受信したデータに含まれる画像データに基づいた画像の形成に関する情報処理を実行する。データ記憶部１５は、ハードディスク又は不揮発性メモリで構成されており、通信部１７で受信したデータに含まれる画像データを記憶する。画像記録部４は、画像を記録シートに記録する。
【００２１】
図３は、画像記録部４の構成例を示す構成図である。画像記録部４は、電子写真方式で画像を形成し、記録シートに画像を記録する。画像記録部４は、露光ユニット４１、画像形成ユニット４２、及び定着ユニット４３を備える。露光ユニット４１は、半導体レーザ及びレーザ光の光路を制御する機能を有する。画像形成ユニット４２は感光体ドラム４２１を備えている。露光ユニット４１は、画像データに基づいてレーザ光で感光体ドラム４２１を走査し、画像データに対応した静電潜像を感光体ドラム４２１上に形成する。露光ユニット４１は、ＬＥＤ（Light Emitting Diode）アレイ等の半導体レーザ以外の光源を用いた形態であってもよい。また画像形成ユニット４２は、感光体ドラム４２１上に形成
された静電潜像にトナーを供給して顕像化する現像器４２２と、感光体ドラム４２１の表面に形成されたトナー像を記録シートに転写する転写器４２３とを備える。更に画像形成ユニット４２は、記録シートに転写されずに残ったトナーを感光体ドラム４２１の表面から回収するクリーニング器４２４を備える。定着ユニット４３は、トナー像を転写された記録シートを加熱及び加圧することにより、トナーで形成された画像を記録シートに定着させる。
【００２２】
画像記録部４は、複数枚の記録シートを収納する複数の給紙トレイ４４と、記録シートが載置される手差しトレイ４５と、画像を記録された記録シートが排出される排紙部４６を備えている。給紙トレイ４４及び手差しトレイ４５から排紙部４６に至るまでの間には、記録シートが搬送されるための搬送路が設けられている。手差しトレイ４５は、記録シートが載置されることによって、記録シートを収納する。
【００２３】
設定記憶部１４は、記録シートの種類別に、画像を記録シートに記録する際の記録条件を定めた条件設定を記憶している。画像の記録条件には、感光体ドラム４２１に印加される電圧、定着ユニット４３が記録シートを加熱する温度、又は記録シートの搬送速度等が含まれる。適切な画像の記録条件は、記録シートの種類によって異なっている。条件設定には、普通紙、再生紙、厚紙又はＯＨＰ用シート等の記録シートの種類別に、画像の記録条件が定められている。
【００２４】
また、設定記憶部１４は、給紙トレイ４４及び手差しトレイ４５に収納される記録シートのサイズ及び種類を定めたトレイ設定を記憶している。トレイ設定の内容は、使用者が操作部１２を操作することによって設定することができる。また、トレイ設定の内容は、表示部１３に表示することもできる。図４は、トレイ設定の内容例を示す模式図である。図４には、表示部１３に表示したトレイ設定の内容例を示している。図４に示した例では、給紙トレイ４４が二つ存在し、第１と第２の給紙トレイ４４について夫々に記録シートのサイズ及び種類が設定されている。また、手差しトレイ４５についても、記録シートのサイズ及び種類が設定されている。また設定記憶部１４は、トレイ設定が設定されていない場合に使用すべきデフォルト設定を予め記憶している。
【００２５】
ＰＣ２から画像形成装置１へ送信するデータには、画像データの他に、トレイを指定する情報と、記録シートの種類を指定する情報と、記録シートのサイズを指定する情報とが含まれることが可能になっている。設定記憶部１４は、通信部１７で受信したデータに記録シートの種類を指定する情報が含まれていない場合に用いるべき記録シートの種類を定めた自動選択設定を記憶している。ＰＣ２から送信されたデータに、記録シートの種類を指定する情報が含まれていない場合は、自動選択設定で設定されている記録シートの種類が選択される。自動選択設定の内容は、使用者が操作部１２を操作することによって設定することができる。以上のように、設定記憶部１４は、本発明における第１設定手段及び第２設定手段として機能する。
【００２６】
更に、設定記憶部１４は、画像を記録すべく選択された記録シートの種類とトレイ設定で設定されている記録シートの種類とを比較する判定を行うか否かを定めた判定設定を記憶している。判定設定の内容は、使用者が操作部１２を操作することによって設定することができるようになっており、また、デフォルトでは判定を行わないように設定されている。即ち、使用者が操作部１２を操作して判定を行うように設定することが無い限り、判定設定は判定を行わないように設定されている。
【００２７】
次に、画像形成装置１の動作を説明する。ＰＣ２は、画像データを含むデータを通信ネットワーク３を介して画像形成装置１へ送信する。ＰＣ２は、データを送信する際に、使用者の操作により、画像形成装置１が備えるトレイ（収納部）の内で一つのトレイを指定
し、使用する記録シートの種類を指定する処理を行う。図５は、ＰＣ２でトレイ及び記録シートの種類を指定するための操作画面の例を示す模式図である。図５に示した例では、記録シートのサイズとしてＡ４が指定され、トレイとして手差しトレイ４５が指定され、記録シートの種類として自動選択が指定されている。自動選択は、記録シートの種類を指定していないことを示している。使用者の操作によって記録シートのサイズ、トレイ、及び記録シートの種類が指定され、ＰＣ２は、指定された内容を示す情報を含むデータを送信する。使用者の操作によってトレイ又は記録シートの種類が指定されない場合は、ＰＣ２が送信するデータにはトレイ又は記録シートの種類を指定する情報は含まれない。
【００２８】
図６及び図７は、実施の形態１に係る画像形成装置１が実行する処理の手順を示すフローチャートである。制御部１１は、随時、ＰＣ２から送信された画像データを含むデータの通信部１７での受信を待ち受ける（Ｓ１０１）。データの受信が無い場合は（Ｓ１０１：ＮＯ）、制御部１１は、データ受信の待ち受けを続行する。通信部１７でデータを受信した場合は（Ｓ１０１：ＹＥＳ）、制御部１１は、受信したデータに記録シートの種類を指定した情報が含まれているか否かを判定する（Ｓ１０２）。データに記録シートの種類を指定した情報が含まれていない場合は（Ｓ１０２：ＮＯ）、制御部１１は、受信したデータにトレイを指定した情報が含まれているか否かを判定する（Ｓ１０３）。データにトレイを指定した情報が含まれている場合は（Ｓ１０３：ＹＥＳ）、制御部１１は、複数の給紙トレイ４４及び手差しトレイ４５の中から、画像を記録する記録シートが収納されているトレイとして、データに含まれている情報が指定するトレイを選択する（Ｓ１０４）。
【００２９】
制御部１１は、次に、設定記憶部１４が記憶しているトレイ設定に、選択したトレイについて記録シートの種類が設定されているか否かを判定する（Ｓ１０５）。選択したトレイについて記録シートの種類が設定されている場合は（Ｓ１０５：ＹＥＳ）、制御部１１は、画像を記録する記録シートの種類として、選択したトレイについてトレイ設定に設定されている記録シートの種類を選択する（Ｓ１０６）。選択したトレイについて記録シートの種類が設定されていない場合は（Ｓ１０５：ＮＯ）、制御部１１は、画像を記録する記録シートの種類として、デフォルト設定に設定されている記録シートの種類を選択する（Ｓ１０７）。Ｓ１０６又はＳ１０７が終了した後は、制御部１１は、設定記憶部１４が記憶している条件設定に従って、選択した記録シートの種類に応じた画像の記録条件を調整する（Ｓ１０８）。画像処理部１６は、受信したデータに含まれる画像データを用いた画像処理を行い、画像記録部４は、画像データに基づいた画像を記録シートに記録する（Ｓ１０９）。このとき、画像記録部４は、選択されたトレイに収納されている記録シートに、選択された記録シートの種類に応じた記録条件で画像を記録する。Ｓ１０９が終了した後は、画像形成装置１は処理を終了する。
【００３０】
Ｓ１０３でデータにトレイを指定した情報が含まれていない場合は（Ｓ１０３：ＮＯ）、制御部１１は、画像を記録する記録シートが収納されているトレイとして、データに含まれる情報が指定する記録シートのサイズに応じて、トレイを選択する（Ｓ１１０）。Ｓ１１０では、制御部１１は、設定記憶部１４に記憶しているトレイ設定を参照し、データに含まれる情報が指定する記録シートのサイズと同一のサイズがトレイ設定で設定されているトレイを選択する。なお、Ｓ１１０では、制御部１１は、受信したデータに含まれる画像データが表す画像のサイズに応じてトレイを選択してもよい。制御部１１は、次に、画像を記録する記録シートの種類として、設定記憶部１４が記憶している自動選択設定に定められた記録シートの種類を選択する（Ｓ１１１）。制御部１１は、次に、選択したトレイについてトレイ設定で設定されている記録シートの種類と、Ｓ１１１で選択した記録シートの種類が一致するか否かを判定する（Ｓ１１２）。記録シートの種類が一致する場合は（Ｓ１１２：ＹＥＳ）、制御部１１は、処理をＳ１０８へ進める。記録シートの種類が一致しない場合は（Ｓ１１２：ＮＯ）、制御部１１は、エラーを表示部１３に表示し（
Ｓ１１３）、画像の記録を中止する。
【００３１】
Ｓ１０２でデータに記録シートの種類を指定した情報が含まれている場合は（Ｓ１０２：ＹＥＳ）、制御部１１は、受信したデータにトレイを指定した情報が含まれているか否かを判定する（Ｓ２１）。データにトレイを指定した情報が含まれている場合は（Ｓ２１：ＹＥＳ）、制御部１１は、画像を記録する記録シートが収納されているトレイとして、データに含まれている情報が指定するトレイを選択する（Ｓ２２）。制御部１１は、次に、画像を記録する記録シートの種類として、データに含まれている情報が指定する記録シートの種類を選択する（Ｓ２３）。制御部１１は、次に、設定記憶部１４で記憶している判定設定を参照し、選択した記録シートの種類とトレイ設定で設定されている記録シートの種類とを比較する判定を行う設定になっているか否かを判定する（Ｓ２４）。記録シートの種類を比較する判定を行う設定になっていない場合は（Ｓ２４：ＮＯ）、制御部１１は、処理をＳ１０８へ進める。
【００３２】
Ｓ２１でデータにトレイを指定した情報が含まれていない場合は（Ｓ２１：ＮＯ）、制御部１１は、画像を記録する記録シートが収納されているトレイとして、データに含まれる情報が指定する記録シートのサイズに応じて、トレイを選択する（Ｓ２５）。Ｓ２５では、制御部１１は、受信したデータに含まれる画像データが表す画像のサイズに応じてトレイを選択してもよい。制御部１１は、次に、画像を記録する記録シートの種類として、データに含まれている情報が指定する記録シートの種類を選択する（Ｓ２６）。Ｓ２４で記録シートの種類を比較する判定を行う設定になっている場合（Ｓ２４：ＹＥＳ）、又はＳ２６が終了した後は、制御部１１は、選択したトレイについてトレイ設定で設定されている記録シートの種類と、選択した記録シートの種類が一致するか否かを判定する（Ｓ２７）。記録シートの種類が一致する場合は（Ｓ２７：ＹＥＳ）、制御部１１は、処理をＳ１０８へ進める。記録シートの種類が一致しない場合は（Ｓ２７：ＮＯ）、制御部１１は、エラーを表示部１３に表示し（Ｓ２８）、画像の記録を中止する。
【００３３】
以上詳述した如く、本実施の形態においては、画像形成装置１は、ＰＣ２から受信したデータにトレイを指定する情報が含まれており、記録シートの種類を指定する情報が含まれていない場合に、自動選択設定で選択された記録シートの種類を選択せずに、指定されたトレイについて設定してある記録シートの種類を選択し、画像を記録する。この場合、画像形成装置１は画像の記録を中止することが無い。このため、データにトレイを指定する情報が含まれており、記録シートの種類を指定する情報が含まれていない場合でも画像の記録が中止されることのあった従来の画像形成装置に比べて、画像形成装置１の利便性が向上する。また、画像形成装置１で各トレイについて設定してある記録シートの種類は、画像形成装置１に実際に収納されている記録シートの種類と一致している可能性が高いので、記録シートに不適切な条件で画像が記録されて画像の記録不良が発生する可能性は低くなる。従って、画像形成装置１は、画像の記録不良を抑制しながらも利便性を向上させることが可能となる。
【００３４】
また、本実施の形態においては、画像形成装置１は、ＰＣ２から受信したデータにトレイを指定する情報も記録シートの種類を指定する情報も含まれていない場合に、サイズに応じたトレイについて設定してある記録シートの種類と自動選択設定に従って選択した記録シートの種類とが一致するか否かを判定し、一致しない場合は画像の記録を中止する。サイズに応じて選択されたトレイに収納されている記録シートの種類と、自動選択設定に設定されている記録シートの種類とは一致していない虞がある。自動選択設定に従って選択した記録シートの種類に応じて画像の記録条件が調整されるので、記録シートの種類が一致していない場合は、選択されたトレイに収納されている記録シートに不適切な記録条件で画像が記録されて画像の記録不良が発生する。そこで、本実施の形態では、記録シートの種類が一致していない場合に画像の記録を中止することにより、画像の記録不良を防
止する。従って、画像形成装置１は、画像の記録不良を抑制することができる。
【００３５】
また、本実施の形態においては、画像形成装置１は、ＰＣ２から受信したデータにトレイを指定する情報及び記録シートの種類を指定する情報が含まれている場合に、指定されたトレイについて設定してある記録シートの種類と指定された記録シートの種類とを比較する判定をデフォルトでは実行しない。このため、通常は、画像形成装置１は画像の記録を中止することが無く、利便性が向上する。また、記録シートの種類を比較するように設定した場合は、画像形成装置１は、記録シートの種類が一致しないときに画像の記録を中止することにより画像の記録不良を防止する。このときは、使用者がトレイ及び記録シートの種類を指定した状態で画像記録が中止されているので、使用者は、画像記録が中止される原因はトレイ又は記録シートの種類の指定が不適切であったことであると推測できる。画像記録が中止されたとしても対処法が分かり易いので、利便性の低下が抑制される。
【００３６】
（実施の形態２）
実施の形態２に係る画像形成装置１の構成は、実施の形態１と同様である。図８は、実施の形態２に係る画像形成装置１が実行する処理の手順を示すフローチャートである。画像形成装置１は、実施の形態１におけるＳ１０１〜Ｓ１１０と同様のＳ３０１〜Ｓ３１０の処理を実行する。Ｓ３１０でトレイを選択した後は、制御部１１は、処理をＳ３０５へ進める。即ち、制御部１１は、画像を記録する記録シートの種類として、選択したトレイについてトレイ設定に設定されている記録シートの種類を選択するか（Ｓ３０６）、又はデフォルト設定に設定されている記録シートの種類を選択する（Ｓ３０７）。制御部１１は、設定記憶部１４が記憶している条件設定に従って、選択した記録シートの種類に応じた画像の記録条件を調整する（Ｓ３０８）。画像処理部１６は、受信したデータに含まれる画像データを用いた画像処理を行い、画像記録部４は、画像データに基づいた画像を記録シートに記録し（Ｓ３０９）、画像形成装置１は処理を終了する。また、画像形成装置１は、実施の形態１と同様にＳ２１〜Ｓ２８の処理を実行する。
【００３７】
以上のように、本実施の形態においては、画像形成装置１は、ＰＣ２から受信したデータにトレイを指定する情報も記録シートの種類を指定する情報も含まれていない場合に、サイズに応じたトレイについて設定してある記録シートの種類を選択し、画像を記録する。この場合、画像形成装置１は画像の記録を中止することが無い。実施の形態１に比べて、画像の記録不良が発生する可能性が若干上がるものの、画像の記録が中止され難くなり、画像形成装置１の利便性が向上する。
【００３８】
（実施の形態３）
実施の形態３に係る画像形成装置１の構成は、実施の形態１と同様である。図９は、実施の形態３に係る画像形成装置１が実行する処理の手順を示すフローチャートである。画像形成装置１は、実施の形態１と同様にＳ１０１〜Ｓ１１３の処理を実行する。また、画像形成装置１は、実施の形態１におけるＳ２１〜２３と同様のＳ４１〜Ｓ４３の処理を実行する。Ｓ４３で記録シートの種類を選択した後は、制御部１１は、処理をＳ１０８へ進める。Ｓ４１でデータにトレイを指定した情報が含まれていない場合は（Ｓ４１：ＮＯ）、制御部１１は、画像を記録する記録シートが収納されているトレイとして、データに含まれる情報が指定する記録シートのサイズに応じて、トレイを選択する（Ｓ４４）。制御部１１は、次に、画像を記録する記録シートの種類として、データに含まれている情報が指定する記録シートの種類を選択する（Ｓ４５）。制御部１１は、次に、選択したトレイについてトレイ設定で設定されている記録シートの種類と、選択した記録シートの種類が一致するか否かを判定する（Ｓ４６）。記録シートの種類が一致する場合は（Ｓ４６：ＹＥＳ）、制御部１１は、処理をＳ１０８へ進める。記録シートの種類が一致しない場合は（Ｓ４６：ＮＯ）、制御部１１は、エラーを表示部１３に表示し（Ｓ４７）、画像の記録を中止する。
【００３９】
以上のように、本実施の形態においては、画像形成装置１は、ＰＣ２から受信したデータにトレイを指定する情報及び記録シートの種類を指定する情報が含まれている場合に、指定されたトレイについて設定してある記録シートの種類と指定された記録シートの種類とを比較する判定を実行しない。このため、画像形成装置１は画像の記録を中止することが無く、利便性が向上する。使用者がトレイ及び記録シートの種類を指定しているので、適切に記録シートの種類が指定されている可能性が高く、画像の記録不良が発生する可能性は低くなる。仮に画像の記録不良が発生したとしても、記録不良の原因は使用者が誤った記録シートの種類を指定したことが明らかであるので、それ以上の記録不良の発生を防止することができる。従って、画像形成装置１は、画像の記録不良を抑制しながらも利便性を向上させることが可能となる。
【００４０】
なお、以上の実施の形態１〜３においては、画像形成装置１へデータを送信する情報処理装置をＰＣであるとしたが、画像形成装置１へデータを送信する情報処理装置はＰＣに限るものではなく、その他の装置であってもよい。例えば、画像形成装置１へデータを送信する情報処理装置はスマートフォンであってもよい。
【００４１】
以上のように、本発明に係る画像形成装置（１）は、外部からのデータを受信する手段と、受信したデータに基づいた画像を記録シートに記録する手段と、記録シートの種類に応じて画像の記録条件を調整する手段と、記録シートを収納する複数の収納部（４４、４５）と、記録シートの種類を設定してある第１設定手段（１４）とを備える画像形成装置（１）において、受信したデータに記録シートの種類を指定する情報が含まれているか否かを判定する手段と、前記データに記録シートの種類を指定する情報が含まれていない場合に、画像を記録する記録シートの種類として、前記第１設定手段（１４）が設定してある記録シートの種類を選択する選択手段とを備えることを特徴とする。
【００４２】
本発明においては、画像形成装置（１）は、外部から受信したデータに記録シートの種類を指定する情報が含まれていない場合に、予め設定してある記録シートの種類を選択し、画像を記録する。画像形成装置（１）はこの場合に画像の記録を中止することが無い。
【００４３】
本発明に係る画像形成装置（１）は、受信したデータに収納部（４４、４５）を指定する情報が含まれているか否かを判定する手段を更に備え、前記第１設定手段（１４）は、各収納部（４４、４５）について記録シートの種類を設定してあり、前記選択手段は、前記データに収納部（４４、４５）を指定する情報が含まれており、記録シートの種類を指定する情報が含まれていない場合に、画像を記録する記録シートの種類として、前記データに含まれる情報で指定された収納部（４４、４５）について前記第１設定手段（１４）が設定してある記録シートの種類を選択するように構成してあることを特徴とする。
【００４４】
本発明においては、画像形成装置（１）は、外部から受信したデータに記録シートの収納部（４４、４５）を指定する情報が含まれており、記録シートの種類を指定する情報が含まれていない場合に、指定された収納部（４４、４５）について設定してある記録シートの種類を選択し、画像を記録する。画像形成装置（１）はこの場合に画像の記録を中止することが無い。
【００４５】
本発明に係る画像形成装置（１）は、受信したデータに記録シートの種類を指定する情報が含まれていない場合の記録シートの種類を設定してある第２設定手段（１４）と、受信したデータに収納部（４４、４５）を指定する情報及び記録シートの種類を指定する情報が含まれていない場合に、前記データに基づいた画像のサイズに応じて、前記複数の収納部（４４、４５）から一の収納部（４４、４５）を選択する手段と、該手段が選択した収納部（４４、４５）について前記第１設定手段（１４）が設定してある記録シートの種
類と前記第２設定手段（１４）が設定してある記録シートの種類とが一致しているか否かを判定する手段と、記録シートの種類が一致している場合に、画像を記録する記録シートの種類として、前記第２設定手段（１４）が設定してある記録シートの種類を選択する手段と、記録シートの種類が一致していない場合に、画像の記録を中止する手段とを更に備えることを特徴とする。
【００４６】
本発明においては、画像形成装置（１）は、外部から受信したデータに記録シートの収納部（４４、４５）を指定する情報も記録シートの種類を指定する情報も含まれていない場合に、サイズに応じた収納部（４４、４５）について設定してある記録シートの種類と記録シートの種類が指定されない場合に選択すべく設定されている記録シートの種類とが一致するか否かを判定し、一致しない場合は画像の記録を中止する。記録シートの種類が指定されない場合に自動で選択される記録シートの種類と指定された収納部（４４、４５）について設定されている記録シートの種類とが一致していないときに画像の記録を中止することにより、画像形成装置（１）は、画像の記録不良を防止する。
【００４７】
本発明に係る画像形成装置（１）は、受信したデータに収納部（４４、４５）を指定する情報及び記録シートの種類を指定する情報が含まれていない場合に、前記データに基づいた画像のサイズに応じて、前記複数の収納部（４４、４５）から一の収納部（４４、４５）を選択する手段と、画像を記録する記録シートの種類として、選択した収納部（４４、４５）について前記第１設定手段（１４）が設定してある記録シートの種類を選択する手段とを更に備えることを特徴とする。
【００４８】
本発明においては、画像形成装置（１）は、外部から受信したデータに記録シートの収納部（４４、４５）を指定する情報も記録シートの種類を指定する情報も含まれていない場合に、サイズに応じた収納部（４４、４５）について設定してある記録シートの種類を選択し、画像を記録する。画像形成装置（１）はこの場合に画像の記録を中止することが無い。
【００４９】
本発明に係る画像形成装置（１）は、外部からのデータに含まれる情報で指定された収納部（４４、４５）について前記第１設定手段（１４）が設定してある記録シートの種類と前記データに含まれる情報で指定された記録シートの種類とが一致しているか否かを判定する判定手段と、該判定手段の動作を無効に設定してある手段と、前記判定手段の動作を有効にさせる指示を受け付ける手段と、該手段が前記指示を受け付けた場合に、前記判定手段の動作を有効に設定する手段と、受信したデータに収納部（４４、４５）を指定する情報及び記録シートの種類を指定する情報が含まれている場合に、前記判定手段の動作が有効に設定されているか又は無効に設定されているかを判定する手段と、前記判定手段の動作が無効に設定されている場合に、画像を記録する記録シートの種類として、前記データに含まれる情報で指定された記録シートの種類を選択する手段と、前記判定手段の動作が有効に設定されている場合に、前記判定手段に、前記データに含まれる情報で指定された収納部（４４、４５）について前記第１設定手段（１４）が設定してある記録シートの種類と前記データに含まれる情報で指定された記録シートの種類とが一致しているか否かを判定させる手段と、記録シートの種類が一致している場合に、画像を記録する記録シートの種類として、前記データに含まれる情報で指定された収納部（４４、４５）について前記第１設定手段（１４）が設定してある記録シートの種類を選択する手段と、記録シートの種類が一致していない場合に、画像の記録を中止する手段とを更に備えることを特徴とする。
【００５０】
本発明においては、画像形成装置（１）は、外部から受信したデータに記録シートの収納部（４４、４５）を指定する情報及び記録シートの種類を指定する情報が含まれている場合に、指定された収納部（４４、４５）について設定してある記録シートの種類と指定
された記録シートの種類とを比較する判定をデフォルトでは実行しない。このため、通常は、画像形成装置（１）は画像の記録を中止することが無い。記録シートの種類を比較するように設定した場合は、画像形成装置（１）は、記録シートの種類が一致しないときに画像の記録を中止することにより画像の記録不良を防止する。
【００５１】
本発明に係る画像形成装置（１）は、受信したデータに収納部（４４、４５）を指定する情報及び記録シートの種類を指定する情報が含まれている場合に、画像を記録する記録シートの種類として、前記データに含まれる情報で指定された記録シートの種類を選択する手段を更に備えることを特徴とする。
【００５２】
本発明においては、画像形成装置（１）は、外部から受信したデータに記録シートの収納部（４４、４５）を指定する情報及び記録シートの種類を指定する情報が含まれている場合に、指定された収納部（４４、４５）について設定してある記録シートの種類と指定された記録シートの種類とを比較する判定を実行しない。画像形成装置（１）はこの場合に画像の記録を中止することが無い。
【符号の説明】
【００５３】
１  画像形成装置
１１  制御部
１２  操作部
１３  表示部
１４  設定記憶部
１７  通信部
４  画像記録部
４４  給紙トレイ（収納部）
４５  手差しトレイ（収納部）
【図１】
2019107893.tif 000003
【図２】
2019107893.tif 000004
【図３】
2019107893.tif 000005
【図４】
2019107893.tif 000006
【図５】
2019107893.tif 000007
【図６】
2019107893.tif 000008
【図７】
2019107893.tif 000009
【図８】
2019107893.tif 000010
【図９】
2019107893.tif 000011
【手続補正書】
【提出日】平成31年3月4日(2019.3.4)
【手続補正１】
【補正対象書類名】明細書
【補正対象項目名】０００９
【補正方法】変更
【補正の内容】
【０００９】
本発明に係る画像形成装置は、外部からのデータを受信する手段と、受信したデータに基づいた画像を記録シートに記録する手段と、記録シートの種類に応じて画像の記録条件を調整する手段と、記録シートを収納する複数の収納部と、各収納部について記録シートの種類を設定する第１設定手段とを備える画像形成装置であって、受信したデータに記録シートの種類を指定する情報が含まれているか否かを判定する第１判定手段と、受信したデータに収納部を指定する情報が含まれているか否かを判定する第２判定手段と、外部からのデータに含まれる情報で指定された収納部について第１設定手段が設定してある記録シートの種類とデータに含まれる情報で指定された記録シートの種類とが一致しているか否かを判定する第３判定手段と、第１判定手段によってデータに記録シートの種類を指定する情報が含まれていることが判定され、第２判定手段によってデータに収納部を指定する情報が含まれていることが判定された場合に、第３判定手段の動作が有効に設定されているか又は無効に設定されているかを判定する第４判定手段と、第４判定手段によって第３判定手段の動作が無効に設定されている場合に、画像を記録する記録シートの種類として、データに含まれる情報で指定された記録シートの種類を選択する種類選択手段を備える。
【手続補正２】
【補正対象書類名】明細書
【補正対象項目名】００１０
【補正方法】変更
【補正の内容】
【００１０】
本発明に係る画像形成装置は、第１判定手段によってデータに記録シートの種類を指定する情報が含まれていないことが判定され、第２判定手段によってデータに収納部を指定する情報が含まれていないことが判定された場合に、データに基づいた画像のサイズに応じて、複数の収納部から一の収納部を選択する収納部選択手段と、外部からのデータに記録シートの種類を指定する情報が含まれていない場合に選択すべき記録シートの種類を設定する第２設定手段と、収納部選択手段によって選択された収納部について第１設定手段によって設定された記録シートの種類と第２設定手段によって設定された記録シートの種類とが一致しているか否かを判定する第５判定手段と、第５判定手段によって記録シートの種類が一致していないことが判定された場合に、画像の記録を中止する第１中止手段を更に備え、種類選択手段は、さらに、第５判定手段によって記録シートの種類が一致していることが判定された場合に、画像を記録する記録シートの種類として、第２設定手段によって設定された記録シートの種類を選択する。
【手続補正３】
【補正対象書類名】明細書
【補正対象項目名】００１１
【補正方法】変更
【補正の内容】
【００１１】
本発明に係る画像形成装置は、第１判定手段によってデータに記録シートの種類を指定する情報が含まれていないことが判定され、第２判定手段によってデータに収納部を指定する情報が含まれていないことが判定された場合に、データに基づいた画像のサイズに応じて、複数の収納部から一の収納部を選択する収納部選択手段を更に備え、種類選択手段は、さらに、画像を記録する記録シートの種類として、収納部選択手段によって選択された収納部について第１設定手段によって設定された記録シートの種類を選択する。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
本発明に係る画像形成装置は、第４判定手段によって第３判定手段の動作が有効に設定されている場合に、データに含まれる情報で指定された収納部について第１設定手段によって設定された記録シートの種類とデータに含まれる情報で指定された記録シートの種類とが一致しているか否かを判定する第６判定手段と、第６判定手段によって記録シートの種類が一致していないことが判定された場合に、画像の記録を中止する第２中止手段を更に備え、種類選択手段は、さらに、第６判定手段によって記録シートの種類が一致していることが判定された場合に、画像を記録する記録シートの種類として、データに含まれる情報で指定された収納部について第１設定手段によって設定された記録シートの種類を選択する。
【手続補正６】
【補正対象書類名】明細書
【補正対象項目名】００１４
【補正方法】変更
【補正の内容】
【００１４】
本発明に係る画像形成装置は、種類選択手段は、さらに、第１判定手段によってデータに記録シートの種類を指定する情報が含まれていることが判定され、第２判定手段によってデータに収納部を指定する情報が含まれていることが判定された場合に、画像を記録する記録シートの種類として、データに含まれる情報で指定された記録シートの種類を選択する。
【手続補正７】
【補正対象書類名】明細書
【補正対象項目名】００１５
【補正方法】変更
【補正の内容】
【００１５】
本発明に係る画像形成システムは、外部からのデータを受信する手段と、受信したデータに基づいた画像を記録シートに記録する手段と、記録シートの種類に応じて画像の記録条件を調整する手段と、記録シートを収納する複数の収納部と、各収納部について記録シートの種類を設定する第１設定手段とを備える画像形成システムであって、受信したデータに記録シートの種類を指定する情報が含まれているか否かを判定する第１判定手段と、受信したデータに収納部を指定する情報が含まれているか否かを判定する第２判定手段と、外部からのデータに含まれる情報で指定された収納部について第１設定手段が設定してある記録シートの種類とデータに含まれる情報で指定された記録シートの種類とが一致しているか否かを判定する第３判定手段と、第１判定手段によってデータに記録シートの種類を指定する情報が含まれていることが判定され、第２判定手段によってデータに収納部を指定する情報が含まれていることが判定された場合に、第３判定手段の動作が有効に設定されているか又は無効に設定されているかを判定する第４判定手段と、第４判定手段によって第３判定手段の動作が無効に設定されている場合に、画像を記録する記録シートの種類として、データに含まれる情報で指定された記録シートの種類を選択する種類選択手段を備える。
【手続補正８】
【補正対象書類名】明細書
【補正対象項目名】００１６
【補正方法】変更
【補正の内容】
【００１６】
本発明に係る記録シートの種類選択方法は外部からのデータを受信する手段と、受信したデータに基づいた画像を記録シートに記録する手段と、記録シートの種類に応じて画像の記録条件を調整する手段と、記録シートを収納する複数の収納部と、各収納部について記録シートの種類を設定する第１設定手段とを備える画像形成装置における記録シートの種類選択方法であって、（ａ）受信したデータに記録シートの種類を指定する情報が含まれているか否かを判定するステップと、（ｂ）受信したデータに収納部を指定する情報が含まれているか否かを判定するステップと、（ｃ）外部からのデータに含まれる情報で指定された収納部について第１設定手段が設定してある記録シートの種類とデータに含まれる情報で指定された記録シートの種類とが一致しているか否かを判定するステップと、（ｄ）ステップ（ａ）においてデータに記録シートの種類を指定する情報が含まれていることを判定し、ステップ（ｂ）においてデータに収納部を指定する情報が含まれていることを判定した場合に、ステップ（ｃ）の動作が有効に設定されているか又は無効に設定されているかを判定するステップと、（ｅ）ステップ（ｄ）においてステップ（ｃ）の動作が無効に設定されている場合に、画像を記録する記録シートの種類として、データに含まれる情報で指定された記録シートの種類を選択するステップを含む。
他の発明に係る画像形成装置は、外部からのデータを受信する手段と、受信したデータに基づいた画像を記録シートに記録する手段と、記録シートの種類に応じて画像の記録条件を調整する手段と、記録シートを収納する複数の収納部と、各収納部について記録シートの種類を設定する第１設定手段とを備える画像形成装置であって、受信したデータに記録シートの種類を指定する情報が含まれているか否かを判定する第１判定手段と、受信したデータに収納部を指定する情報が含まれているか否かを判定する第２判定手段と、外部からのデータに含まれる情報で指定された収納部について第１設定手段が設定してある記録シートの種類とデータに含まれる情報で指定された記録シートの種類とが一致しているか否かを判定する第３判定手段と、第１判定手段によってデータに記録シートの種類を指定する情報が含まれていることが判定され、第２判定手段によってデータに収納部を指定する情報が含まれていることが判定された場合に、第３判定手段の動作が有効に設定されているか又は無効に設定されているかを判定する第４判定手段と、第４判定手段によって第３判定手段の動作が有効に設定されている場合に、データに含まれる情報で指定された収納部について第１設定手段によって設定された記録シートの種類とデータに含まれる情報で指定された記録シートの種類とが一致しているか否かを判定する第５判定手段と、第５判定手段によって記録シートの種類が一致していることが判定された場合に、画像を記録する記録シートの種類として、データに含まれる情報で指定された収納部について第１設定手段によって設定された記録シートの種類を選択する種類選択手段を備える。
他の発明に係る画像形成システムは、外部からのデータを受信する手段と、受信したデータに基づいた画像を記録シートに記録する手段と、記録シートの種類に応じて画像の記録条件を調整する手段と、記録シートを収納する複数の収納部と、各収納部について記録シートの種類を設定する第１設定手段とを備える画像形成装置であって、受信したデータに記録シートの種類を指定する情報が含まれているか否かを判定する第１判定手段と、受信したデータに収納部を指定する情報が含まれているか否かを判定する第２判定手段と、外部からのデータに含まれる情報で指定された収納部について第１設定手段が設定してある記録シートの種類とデータに含まれる情報で指定された記録シートの種類とが一致しているか否かを判定する第３判定手段と、第１判定手段によってデータに記録シートの種類を指定する情報が含まれていることが判定され、第２判定手段によってデータに収納部を指定する情報が含まれていることが判定された場合に、第３判定手段の動作が有効に設定されているか又は無効に設定されているかを判定する第４判定手段と、第４判定手段によって第３判定手段の動作が有効に設定されている場合に、データに含まれる情報で指定された収納部について第１設定手段によって設定された記録シートの種類とデータに含まれる情報で指定された記録シートの種類とが一致しているか否かを判定する第５判定手段と、第５判定手段によって記録シートの種類が一致していることが判定された場合に、画像を記録する記録シートの種類として、データに含まれる情報で指定された収納部について第１設定手段によって設定された記録シートの種類を選択する種類選択手段を備える。
他の発明に係る記録シート種類選択方法は、外部からのデータを受信する手段と、受信したデータに基づいた画像を記録シートに記録する手段と、記録シートの種類に応じて画像の記録条件を調整する手段と、記録シートを収納する複数の収納部と、各収納部について記録シートの種類を設定する第１設定手段とを備える画像形成装置における記録シートの種類選択方法であって、（ａ）受信したデータに記録シートの種類を指定する情報が含まれているか否かを判定するステップと、（ｂ）受信したデータに収納部を指定する情報が含まれているか否かを判定するステップと、（ｃ）外部からのデータに含まれる情報で指定された収納部について第１設定手段が設定してある記録シートの種類とデータに含まれる情報で指定された記録シートの種類とが一致しているか否かを判定するステップと、（ｄ）ステップ（ａ）においてデータに記録シートの種類を指定する情報が含まれていることを判定し、ステップ（ｂ）においてデータに収納部を指定する情報が含まれていることを判定した場合に、ステップ（ｃ）の動作が有効に設定されているか又は無効に設定されているかを判定するステップと、（ｅ）ステップ（ｄ）においてステップ（ｃ）の動作が有効に設定されている場合に、データに含まれる情報で指定された収納部について第１設定手段によって設定された記録シートの種類とデータに含まれる情報で指定された記録シートの種類とが一致しているか否かを判定するステップと、（ｆ）ステップ（ｅ）において記録シートの種類が一致していることを判定した場合に、画像を記録する記録シートの種類として、データに含まれる情報で指定された収納部について第１設定手段によって設定された記録シートの種類を選択するステップを含む。
【手続補正９】
【補正対象書類名】特許請求の範囲
【補正対象項目名】全文
【補正方法】変更
【補正の内容】
【特許請求の範囲】
【請求項１】
外部からのデータを受信する手段と、受信したデータに基づいた画像を記録シートに記録する手段と、記録シートの種類に応じて画像の記録条件を調整する手段と、記録シートを収納する複数の収納部と、各収納部について記録シートの種類を設定する第１設定手段とを備える画像形成装置であって、
受信したデータに記録シートの種類を指定する情報が含まれているか否かを判定する第１判定手段と、
受信したデータに収納部を指定する情報が含まれているか否かを判定する第２判定手段と、
外部からのデータに含まれる情報で指定された収納部について前記第１設定手段が設定してある記録シートの種類と前記データに含まれる情報で指定された記録シートの種類とが一致しているか否かを判定する第３判定手段と、
前記第１判定手段によって前記データに記録シートの種類を指定する情報が含まれていることが判定され、前記第２判定手段によって前記データに収納部を指定する情報が含まれていることが判定された場合に、前記第３判定手段の動作が有効に設定されているか又は無効に設定されているかを判定する第４判定手段と、
前記第４判定手段によって前記第３判定手段の動作が無効に設定されている場合に、画像を記録する記録シートの種類として、前記データに含まれる情報で指定された記録シートの種類を選択する種類選択手段を備える、画像形成装置。
【請求項２】
前記第１判定手段によって前記データに記録シートの種類を指定する情報が含まれていないことが判定され、前記第２判定手段によって前記データに収納部を指定する情報が含まれていないことが判定された場合に、前記データに基づいた画像のサイズに応じて、前記複数の収納部から一の収納部を選択する収納部選択手段と、
外部からのデータに記録シートの種類を指定する情報が含まれていない場合に選択すべき記録シートの種類を設定する第２設定手段と、
前記収納部選択手段によって選択された収納部について前記第１設定手段によって設定された記録シートの種類と前記第２設定手段によって設定された記録シートの種類とが一致しているか否かを判定する第５判定手段と、
前記第５判定手段によって記録シートの種類が一致していないことが判定された場合に、画像の記録を中止する第１中止手段を更に備え、
前記種類選択手段は、さらに、前記第５判定手段によって記録シートの種類が一致していることが判定された場合に、画像を記録する記録シートの種類として、前記第２設定手段によって設定された記録シートの種類を選択する、請求項１に記載の画像形成装置。
【請求項３】
前記第１判定手段によって前記データに記録シートの種類を指定する情報が含まれていないことが判定され、前記第２判定手段によって前記データに収納部を指定する情報が含まれていないことが判定された場合に、前記データに基づいた画像のサイズに応じて、前記複数の収納部から一の収納部を選択する収納部選択手段を更に備え、
前記種類選択手段は、さらに、画像を記録する記録シートの種類として、前記収納部選択手段によって選択された収納部について前記第１設定手段によって設定された記録シートの種類を選択する、請求項１に記載の画像形成装置。
【請求項４】
前記第４判定手段によって前記第３判定手段の動作が有効に設定されている場合に、前記データに含まれる情報で指定された収納部について前記第１設定手段によって設定された記録シートの種類と前記データに含まれる情報で指定された記録シートの種類とが一致しているか否かを判定する第６判定手段と、
前記第６判定手段によって記録シートの種類が一致していないことが判定された場合に、画像の記録を中止する第２中止手段を更に備え、
前記種類選択手段は、さらに、前記第６判定手段によって記録シートの種類が一致していることが判定された場合に、画像を記録する記録シートの種類として、前記データに含まれる情報で指定された収納部について前記第１設定手段によって設定された記録シートの種類を選択する、請求項１から３までの何れか一つに記載の画像形成装置。
【請求項５】
前記種類選択手段は、さらに、前記第１判定手段によって前記データに記録シートの種類を指定する情報が含まれていることが判定され、前記第２判定手段によって前記データに収納部を指定する情報が含まれていることが判定された場合に、画像を記録する記録シートの種類として、前記データに含まれる情報で指定された記録シートの種類を選択する、請求項１から４までの何れか一つに記載の画像形成装置。
【請求項６】
外部からのデータを受信する手段と、受信したデータに基づいた画像を記録シートに記録する手段と、記録シートの種類に応じて画像の記録条件を調整する手段と、記録シートを収納する複数の収納部と、各収納部について記録シートの種類を設定する第１設定手段とを備える画像形成システムであって、
受信したデータに記録シートの種類を指定する情報が含まれているか否かを判定する第１判定手段と、
受信したデータに収納部を指定する情報が含まれているか否かを判定する第２判定手段と、
外部からのデータに含まれる情報で指定された収納部について前記第１設定手段が設定してある記録シートの種類と前記データに含まれる情報で指定された記録シートの種類とが一致しているか否かを判定する第３判定手段と、
前記第１判定手段によって前記データに記録シートの種類を指定する情報が含まれていることが判定され、前記第２判定手段によって前記データに収納部を指定する情報が含まれていることが判定された場合に、前記第３判定手段の動作が有効に設定されているか又は無効に設定されているかを判定する第４判定手段と、
前記第４判定手段によって前記第３判定手段の動作が無効に設定されている場合に、画像を記録する記録シートの種類として、前記データに含まれる情報で指定された記録シートの種類を選択する種類選択手段を備える、画像形成システム。
【請求項７】
外部からのデータを受信する手段と、受信したデータに基づいた画像を記録シートに記録する手段と、記録シートの種類に応じて画像の記録条件を調整する手段と、記録シートを収納する複数の収納部と、各収納部について記録シートの種類を設定する第１設定手段とを備える画像形成装置における記録シートの種類選択方法であって、
（ａ）受信したデータに記録シートの種類を指定する情報が含まれているか否かを判定するステップと、
（ｂ）受信したデータに収納部を指定する情報が含まれているか否かを判定するステップと、
（ｃ）外部からのデータに含まれる情報で指定された収納部について前記第１設定手段が設定してある記録シートの種類と前記データに含まれる情報で指定された記録シートの種類とが一致しているか否かを判定するステップと、
（ｄ）前記ステップ（ａ）において前記データに記録シートの種類を指定する情報が含まれていることを判定し、前記ステップ（ｂ）において前記データに収納部を指定する情報が含まれていることを判定した場合に、前記ステップ（ｃ）の動作が有効に設定されているか又は無効に設定されているかを判定するステップと、
（ｅ）前記ステップ（ｄ）において前記ステップ（ｃ）の動作が無効に設定されている場合に、画像を記録する記録シートの種類として、前記データに含まれる情報で指定された記録シートの種類を選択するステップを含む、記録シートの種類選択方法。
【請求項８】
外部からのデータを受信する手段と、受信したデータに基づいた画像を記録シートに記録する手段と、記録シートの種類に応じて画像の記録条件を調整する手段と、記録シートを収納する複数の収納部と、各収納部について記録シートの種類を設定する第１設定手段とを備える画像形成装置であって、
受信したデータに記録シートの種類を指定する情報が含まれているか否かを判定する第１判定手段と、
受信したデータに収納部を指定する情報が含まれているか否かを判定する第２判定手段と、
外部からのデータに含まれる情報で指定された収納部について前記第１設定手段が設定してある記録シートの種類と前記データに含まれる情報で指定された記録シートの種類とが一致しているか否かを判定する第３判定手段と、
前記第１判定手段によって前記データに記録シートの種類を指定する情報が含まれていることが判定され、前記第２判定手段によって前記データに収納部を指定する情報が含まれていることが判定された場合に、前記第３判定手段の動作が有効に設定されているか又は無効に設定されているかを判定する第４判定手段と、
前記第４判定手段によって前記第３判定手段の動作が有効に設定されている場合に、前記データに含まれる情報で指定された収納部について前記第１設定手段によって設定された記録シートの種類と前記データに含まれる情報で指定された記録シートの種類とが一致しているか否かを判定する第５判定手段と、
前記第５判定手段によって記録シートの種類が一致していることが判定された場合に、画像を記録する記録シートの種類として、前記データに含まれる情報で指定された収納部について前記第１設定手段によって設定された記録シートの種類を選択する種類選択手段を備える、画像形成装置。
【請求項９】
外部からのデータを受信する手段と、受信したデータに基づいた画像を記録シートに記録する手段と、記録シートの種類に応じて画像の記録条件を調整する手段と、記録シートを収納する複数の収納部と、各収納部について記録シートの種類を設定する第１設定手段とを備える画像形成システムであって、
受信したデータに記録シートの種類を指定する情報が含まれているか否かを判定する第１判定手段と、
受信したデータに収納部を指定する情報が含まれているか否かを判定する第２判定手段と、
外部からのデータに含まれる情報で指定された収納部について前記第１設定手段が設定してある記録シートの種類と前記データに含まれる情報で指定された記録シートの種類とが一致しているか否かを判定する第３判定手段と、
前記第１判定手段によって前記データに記録シートの種類を指定する情報が含まれていることが判定され、前記第２判定手段によって前記データに収納部を指定する情報が含まれていることが判定された場合に、前記第３判定手段の動作が有効に設定されているか又は無効に設定されているかを判定する第４判定手段と、
前記第４判定手段によって前記第３判定手段の動作が有効に設定されている場合に、前記データに含まれる情報で指定された収納部について前記第１設定手段によって設定された記録シートの種類と前記データに含まれる情報で指定された記録シートの種類とが一致しているか否かを判定する第５判定手段と、
前記第５判定手段によって記録シートの種類が一致していることが判定された場合に、画像を記録する記録シートの種類として、前記データに含まれる情報で指定された収納部について前記第１設定手段によって設定された記録シートの種類を選択する種類選択手段を備える、画像形成システム。
【請求項１０】
外部からのデータを受信する手段と、受信したデータに基づいた画像を記録シートに記録する手段と、記録シートの種類に応じて画像の記録条件を調整する手段と、記録シートを収納する複数の収納部と、各収納部について記録シートの種類を設定する第１設定手段とを備える画像形成装置における記録シートの種類選択方法であって、
（ａ）受信したデータに記録シートの種類を指定する情報が含まれているか否かを判定するステップと、
（ｂ）受信したデータに収納部を指定する情報が含まれているか否かを判定するステップと、
（ｃ）外部からのデータに含まれる情報で指定された収納部について前記第１設定手段が設定してある記録シートの種類と前記データに含まれる情報で指定された記録シートの種類とが一致しているか否かを判定するステップと、
（ｄ）前記ステップ（ａ）において前記データに記録シートの種類を指定する情報が含まれていることを判定し、前記ステップ（ｂ）において前記データに収納部を指定する情報が含まれていることを判定した場合に、前記ステップ（ｃ）の動作が有効に設定されているか又は無効に設定されているかを判定するステップと、
（ｅ）前記ステップ（ｄ）において前記ステップ（ｃ）の動作が有効に設定されている場合に、前記データに含まれる情報で指定された収納部について前記第１設定手段によって設定された記録シートの種類と前記データに含まれる情報で指定された記録シートの種類とが一致しているか否かを判定するステップと、
（ｆ）前記ステップ（ｅ）において記録シートの種類が一致していることを判定した場合に、画像を記録する記録シートの種類として、前記データに含まれる情報で指定された収納部について前記第１設定手段によって設定された記録シートの種類を選択するステップを含む、記録シートの種類選択方法。